(57)【要約】      （修正有）【課題】輝度ムラの発生と消費電力の低減を両立させることが可能な表示装置の駆動回路及び駆動方法を提供する。【解決手段】複数の画素がラインの方向とカラムの方向とにマトリクス状に配列され、前記複数の画素の極性を反転させて順次駆動する。第１のラインに配列された前記複数の画素を駆動し、前記第１のラインに隣接する第２のラインの第１のカラム位置に配置された画素を前記第１のラインの第１のカラム位置に配置された画素と同一極性で駆動し、前記第２のラインの第２のカラム位置に配置された画素を前記第１のラインの第２のカラム位置に配置された画素と異なる極性で駆動する。【選択図】図１
2007065454.tif 000002
【特許請求の範囲】
【請求項１】
複数の画素がラインの方向とカラムの方向とにマトリクス状に配列され、前記複数の画素の極性を反転させて順次駆動する表示装置の駆動方法であって、
第１のラインに配列された前記複数の画素を駆動し、
前記第１のラインに隣接する第２のラインの第１のカラム位置に配置された画素を前記第１のラインの第１のカラム位置に配置された画素と同一極性で駆動し、
前記第２のラインの第２のカラム位置に配置された画素を前記第１のラインの第２のカラム位置に配置された画素と異なる極性で駆動する表示装置の駆動方法。
【請求項２】
複数の画素がラインの方向とカラムの方向とにマトリクス状に配列され、前記複数の画素の極性を反転させて順次駆動する表示装置の駆動方法であって、
第１のラインに配列された前記複数の画素を駆動し、前記第１のラインに隣接する第２のラインの第１のカラム位置に配置された画素を前記第１のラインの第１のカラム位置に配置された画素と同一極性で駆動し、前記第２のラインの第２のカラム位置に配置された画素を前記第１のラインの第２のカラム位置に配置された画素と異なる極性で駆動して第１フレームを表示し、
前記第１のラインの画素の極性を反転駆動して、前記第１フレームに続く第２フレームを表示し、
前記第２のラインの画素の極性を反転駆動して、前記第２フレームに続く第３フレームを表示する表示装置の駆動方法。
【請求項３】
前記表示装置の駆動方法は、さらに
第ｎフレームと第ｎ＋１フレームで所定のカラム位置の画素の極性を反転させて駆動することを特徴とする請求項１又は２に記載の表示装置の駆動方法。
【請求項４】
前記第１のラインと第２のラインに対する極性を決定する極性信号と、前記第１のラインと第２のラインの画素に信号電圧を印加するストローブ信号に基づいて前記第１のラインの画素の極性および第２のラインの画素の極性が決定されることを特徴とする請求項１乃至３のいずれか１項に記載の表示装置の駆動方法。
【請求項５】
前記第１のラインの画素に信号電圧を印加する前に、ダミーラインを駆動することを特徴とする請求項１乃至３のいずれか１項に記載の表示装置の駆動方法。
【請求項６】
第１のライン方向に配列された複数の画素と、
前記第１のラインに隣接する第２のラインの第１のカラム位置に配置され、前記第１のラインの第１のカラム位置に配置された画素と同一極性で駆動される画素と、
前記第２のラインの第２のカラム位置に配置され、前記第１のラインの第２のカラム位置に配置された画素と異なる極性で駆動される画素とを有する表示装置。
【請求項７】
前記表示装置は、さらに、
第ｎフレームに続く第ｎ＋１フレームの表示に際して前記第１のラインの画素の極性を反転させ、第ｎ＋１フレームに続く第ｎ＋２フレームの表示に際して前記第２のラインの画素の極性を反転させるコントローラを有する請求項６に記載の表示装置。
【発明の詳細な説明】
【技術分野】
【０００１】
本発明は表示装置の駆動方法に関し、特に液晶表示装置等の表示装置の駆動方法に関する。
【背景技術】
【０００２】
従来、アクティブマトリクス液晶表示装置(ＡＭＬＣＤ；Active Matrix Liquid Crystal Display)では、複数の画素がマトリクス状に配置されている。各画素にはＴＦＴ(Thin Film Transistor)等の素子が接続されている。ＴＦＴのゲート電極は、行（ライン）方向に沿った走査線に接続され、ドレイン電極は、列（カラム）方向に沿ったデータ線に接続される。
この液晶表示装置における表示方式として線順次方式があり、この線順次方式では、ディスプレイパネルの上から下、又は下から上に向かって走査線が順番に走査される。これによって、１つの画像がパネルに表示される。この１つの画像はフレーム（またはフィールド）と呼ばれる。
【０００３】
このような液晶表示装置では、データ線からＴＦＴを介して画素に印加される電圧（以下、画素電圧と呼ぶ）の極性が、所定の期間毎に反転される。この極性を反転させながら画素を駆動する駆動方法は、ドット反転駆動として知られている。ここで、画素電圧の極性とは、液晶の共通電極の電圧（コモン電圧）を基準とした画素電圧の正負を示す。
例えば、画素の駆動において、１本の走査線を駆動するときに１画素（カラム）ごとに極性を反転して駆動し、次のラインでは対応する画素を全て逆の極性で駆動する。さらに次のフレームでは、それらの画素は全て逆の極性で駆動される。このドット反転駆動によって、ほとんどの画像に対して、フリッカや隣接画素間の干渉がない表示を行うことが可能である。
【０００４】
しかしながら、従来のドット反転駆動では、縞模様やチェック模様のような特定パタンの画像に対してフリッカが発生するという欠点があった。さらに近年、画素サイズの大型化、高精細化が進むにつれて、液晶パネルのデータやゲート電極の負荷が増加傾向にあり、ドレイン・ラインの寄生容量が大きくなる。そのため、ドット反転のようにカラムごと、ラインごとに毎回極性を反転する方式では、消費電力が大きくなるという問題が発生した。図６乃至図８を用いて、この点について詳細に説明する。
図６の模式図に、従来のドット反転の駆動状態の一例が示されている。この図６には、その一例であるスクエア・インバージョンが示されている。スクエア・インバージョンとは、消費電力低減と、例えばチェック模様のような特定表示パタンにおけるフリッカ低減の対策として開発されたものである。
【０００５】
図７のタイミングチャートに、図６に示されたドット反転の駆動タイミングが示されている。図７に示すように、液晶パネルの負荷が大きい場合には、極性の切り替わりでデータ電極がチャージ・ディスチャージされるので、書込み不足が生じる。図７においては、この書込み不足の場合の信号波形が一点鎖線によって示されている。
図７に示すように、ライン１，３にホールドされる表示データの電位は、書込み不足した状態のものである。従って、ライン１，３とライン２，４とは、ホールドレベルが異なった状態で横方向に連続して並んでしまうので、お互いに上下の輝度差が縞模様となって表示上で認識される。
【０００６】
これを改善するために、表示データの極性が連続した場合でも、出力ショート動作を行う方法がある。図８のタイミングチャートに、この改善されたドット反転の駆動タイミングが示されている。
出力ショートを毎ライン行い、いったんコモンレベルから書込みレベルをスタートさせることによって、全ての液晶セルは書込み不足のレベルでホールドされる。従って、液晶セルの上下間の輝度差は生じなくなり縞模様がなくなる。しかしながら、これは画面全体を液晶パネルの表示特性の悪い方へ揃えた結果によるものである。また、全てのラインについて出力ショートを行うので，ソース・ドライバは、毎ラインデータ電極のチャージ・ディスチャージを必要とする。そのため、スクエア・インバージョンの一つの目的である消費電力の効果が大幅に低下する。
また、全ての液晶セルにホールドされる諧調の電位は、最終レベルに達していないので、縞模様の表示ムラを十分に低減することができない。
【０００７】
さらに、上記のような消費電力が上昇する問題を解決する方法として、特許文献１に、複数のカラムやラインを同極性で駆動する方式が開示されている。
特許文献１に開示された方式では、連続した２本のラインで、同じカラム位置の画素が前のラインと同極性の場合と逆極性になる場合とがあり、それぞれの画素の充電量が異なる場合があるという特性があった。画面サイズが大きくなってドレイン・ラインの寄生抵抗と寄生容量が大きくなったり、総画素数が多くなって１ラインを充電する時間が短くなったりすると、前のラインの画素との極性が変わる画素と変わらない画素とで充電量に差ができ、これが輝度差となって行方向の筋と認識されるという問題点があった。
【０００８】
この問題点解決する技術として、例えば特許文献２〜４がある。
例えば、特許文献４に開示された技術では、ソース・ラインの極性が変わるｎライン目のゲート波形のオンを開始する時間をドレイン・ラインの変化開始より遅らせて画素への充電を行う。ｎラインと同じ極性のｎ＋１ラインでも同じ時間ゲートをオンすることにより、前のラインと極性の変わるライン（ｎライン目）と変わらないラインと（ｎ＋１ライン目）で充電量を揃える。これによって、ラインごとの輝度ムラを抑えている。
【０００９】
このように、従来の技術では、ゲートをオンする時間を短くしたり、前のラインと極性が変わるラインのゲートをオンする時間を長くすることによって、前のラインと極性が変わらないラインのゲートをオンする時間を短くしたりする。これによって、ライン毎の輝度ムラを抑えている。
しかしながら、１ラインを表示するためにゲートをオンする時間は入力信号により時間的に限られている。さらに、より負荷容量が大きいパネルや高解像度で１ライン当たりの書込み時間が短いパネルでは、輝度差を無くすことができない場合がある。また、ゲートをオンする時間をさらに短くして輝度差を揃える方法を採ると、極性が変わらないラインでの最大輝度を生かすことができず、コントラストの低い表示になってしまう。
【特許文献１】特開平５−０４８０５６号公報
【特許文献２】特開平１１−３３７９７５号公報
【特許文献３】特開２００４−０６１５９０号公報
【特許文献４】特開２００１−２１５４６９号公報
【発明の開示】
【発明が解決しようとする課題】
【００１０】
このように、従来の液晶表示装置の駆動方法では、輝度ムラの発生と消費電力の低減を両立させることが困難であるという問題があった。
【課題を解決するための手段】
【００１１】
本発明に係る表示装置の駆動方法は、複数の画素がラインの方向とカラムの方向とにマトリクス状に配列され、前記複数の画素の極性を反転させて順次駆動する表示装置の駆動方法であって、第１のラインに配列された前記複数の画素を駆動し、前記第１のラインに隣接する第２のラインの第１のカラム位置に配置された画素を前記第１のラインの第１のカラム位置に配置された画素と同一極性で駆動し、前記第２のラインの第２のカラム位置に配置された画素を前記第１のラインの第２のカラム位置に配置された画素と異なる極性で駆動する。
【００１２】
本発明に係る表示装置は、第１のライン方向に配列された複数の画素と、前記第１のラインに隣接する第２のラインの第１のカラム位置に配置され、前記第１のラインの第１のカラム位置に配置された画素と同一極性で駆動される画素と、前記第２のラインの第２のカラム位置に配置され、前記第１のラインの第２のカラム位置に配置された画素と異なる極性で駆動される画素とを有する。
【発明の効果】
【００１３】
本発明によれば、輝度ムラを抑制するとともに、消費電力を低減することができる表示装置の駆動回路及びその駆動方法を提供することができる。
【発明を実施するための最良の形態】
【００１４】
本発明に係る表示装置は、複数のカラム又は複数のラインを同極性にして反転駆動する方法によって駆動される。
以下、本発明の実施の形態について図を参照しながら説明する。ここでは、本発明に係る表示装置の好適な例として、アクティブマトリクス液晶表示装置を用いて説明するが、これに限らず、複数の行方向又は複数の列方向に配列された画素を同極性にして反転駆動する表示装置に適用することができる。
【００１５】
発明の実施の形態１.
まず、図１、２を用いて、本発明に係る液晶表示装置による画素の反転駆動について概略的に説明する。図１、２は、本発明に係る液晶表示装置の駆動状態の一例を示す概略図である。なお、図１、２においては、網掛けされた画素"＋"は正極性で駆動され、網掛けされていない画素"−"は負極性で駆動されていることを示す。また、図１、２においては、"←"によって次に反転駆動される行が、"↑"によって次に反転駆動される列が示されている。
【００１６】
例えばｍ番目のフレーム（以下ｍフレームと称す）において、ライン１〜４の各画素はそれぞれ図１（ａ）に示すように正負で駆動されているとする。図１（ｂ）に示すように、このｍフレームがｍ＋１フレームに遷移するとき、ライン１、３、５の各画素は反転駆動される。その後、図１（ｃ）に示すように、ｍ＋２フレームに遷移するときは、ライン２、４の各画素が反転駆動される。図１（ｄ）に示すように、このｍ＋２フレームはさらに、ｍ＋３フレームへと遷移される。このとき、ライン１、３、５の各画素が反転駆動される。
【００１７】
ｍ＋３フレームからｍ＋４フレームに遷移するときに、ライン２，４の各画素が反転駆動されると、ｍフレームの状態へと戻る。本実施形態においては、駆動形態を多様化させるために、ｍ＋４フレームからｍフレームへと戻らないようにする。具体的には、図２（ｅ）に示すように、ｍ＋３フレームからｍ＋４フレームに遷移するときに、カラム方向の画素を反転駆動させる。詳細には、２、４、６列目のカラムの各画素が反転駆動される。その後、図２（ｆ）、図２（ｇ）に示すように、ｍ＋４フレームからｍ＋５フレームに遷移するときライン２、４の各画素が反転駆動され、ｍ＋５フレームからｍ＋６フレームに遷移するときライン１、３、５の各画素が反転駆動される。最後に、図２（ｈ）に示すように、ｍ＋６フレームからｍ＋７フレームに遷移するときライン２、４の各画素が反転駆動され、ｍ＋７フレームでライン１、３、５の各ドットが反転駆動されることによってｍフレームに戻る。このように本実施の形態の駆動方法ではライン１とライン２のＳ１あるいはライン３とライン４のＳ１などに対応する画素がフレームの変化によって同時に反転することを減少させている。
【００１８】
次に、本発明に係る液晶表示装置について詳細に説明する。
まず、図３を用いて、本発明に係る液晶表示装置について説明する。図３は、本発明に係る液晶表示装置の一構成例を示す模式図である。
図３（ａ）に、本発明に係る液晶表示装置の一構成例が示されている。図３（ａ）に示すように、液晶表示装置１は、液晶パネル１１、ゲート・ドライバ１２、ソース・ドライバ１３、タイミングコントローラ１４を有する。
【００１９】
液晶パネル１１は多数の画素１１０を有し、これら画素１１０はマトリクス状に配列されている。具体的には、多数の画素１１０は、行方向（ライン方向、走査線方向）に延在する複数のゲート・ラインＧ１，・・・，Ｇｙと、列方向（カラム方向）に延在する複数のソース・ラインＳ１，・・・，Ｓｘが交差する位置に配列されている。図３（ｂ）に、液晶パネル１１の画素１１０の具体的な構成が示されている。
【００２０】
図３（ｂ）に示すように、各画素１１０は、ＴＦＴ素子１１１、液晶セル容量１１２を有する。
ＴＦＴ素子１１１は、能動素子の一例であり、そのゲート端子は、行方向のゲート・ラインＧ１，・・・，Ｇｙに接続されている。各ＴＦＴ素子１１１のソース端子には、列方向のソース・ラインＳ１，・・・，Ｓｘが配線されている。また、各ＴＦＴ素子１１１のドレイン端子は、液晶セル容量１１２の一端に接続されている。
【００２１】
液晶セル容量１１２は、書込み電圧を保持するための容量素子である。液晶セル容量１１２には、各ＴＦＴ素子１１１を介して、ソース・ラインＳ１，...，Ｓｘをから書込み電圧が供給される。液晶セル容量１１２への書込み電圧のレベルが適宜変えられることによって、画素１１０の輝度が設定される。液晶セル容量１１２は、ＴＦＴ素子１１１のドレイン端子とコモン電極１１３の間に接続されている。
コモン電極１１３には、液晶セル容量１１２に対する書込み電圧の極性（正極性または負極性）を定めるための基準電圧（コモン電圧）が印加されている。
【００２２】
このような画素１１０では、ゲート・ラインＧ１，...，Ｇｘのいずれかに駆動電圧が印加され、そのゲート・ラインに接続されたＴＦＴ素子１１１がオンされる。ＴＦＴ素子１１１がオンされることにより、ソース・ラインＳ１，...，Ｓｎを通じて供給される映像データの書込み電圧が、液晶セル容量１１２に印加される。
また、ゲート・ラインＧ１，...，Ｇｘに駆動電圧が印加されていない状態では、ＴＦＴ素子１１１がオフされている。液晶セル容量１１２は、再び書込みが行われるまでの１フレームの間、書込み電圧を保持し、この保持電圧によって液晶パネル１１上の表示が継続的に行われる。
【００２３】
ゲート・ドライバ１２の出力は、ＴＦＴ素子１１１のゲート電極に接続されている。詳細には、ゲート・ドライバ１２は、ゲート・ラインＧ１，・・・，Ｇｙに駆動電圧を順次供給し、各ゲート・ラインＧ１，・・・，Ｇｙに接続されたＴＦＴ素子１１１の導通状態を制御する。
【００２４】
ソース・ドライバ１３の出力は、液晶パネルのデータ線へと供給される。このデータ線は、ＴＦＴト素子１１１のソース電極へ接続されている。詳細には、ソース・ドライバ１３は、ソース・ラインＳ１，・・・，Ｓｘに書込み電圧を供給し、ゲート・ドライバ１２によって駆動されるＴＦＴ素子１１１を介して、各液晶セル容量１１２に書込みを行う。
具体的には、ゲート・ドライバ１２が各画素１１０のＴＦＴトランジスタ１１１をオン状態とし、ソース・ドライバ１３がソース・ラインＳ１，・・・，Ｓｘに書込み電圧を供給することによって、各液晶セル容量１１２に電荷が充電される。このとき、ソース・ラインＳ１，・・・，Ｓｘに供給する書込み電圧の極性に応じた極性の電荷が、液晶セル容量１１２に充電される。すなわち、ソース・ラインＳ１，・・・，Ｓｘに正極性の書込み電圧が印加された場合には、液晶セル容量１１２に正電荷が充電され、負極性の書込み電圧が印加された場合には、液晶セル容量１１２に負電荷が充電される。
【００２５】
タイミングコントローラ１４は、各種の制御信号をゲート・ドライバ１２、ソース・ドライバ１３に入力し、各画素１１０の駆動制御を行う。具体的には、タイミングコントローラ１４は、ストローブ信号（ＳＴＢ）、極性信号（ＰＯＬ）、シフトクロック（ＧＣＬＫ）を出力する。
ストローブ信号は、映像データを内部レジスタへラッチするための信号であり、ソース・ドライバ１３に入力される。極性反転信号は、コモン電位に対して正負のいずれかのレベルの選択を制御するための信号であり、ソース・ドライバ１３に入力される。シフトクロックは、ゲートパルスをシフトするためのタイミング信号であり、ゲート・ドライバに入力される。また表示装置では、これら信号の他、映像データ入力、クロック等も入力されるが、図３では省略されている。
【００２６】
続いて、図４を用いて、本発明に係る液晶表示装置１の反転駆動について詳細に説明する。図４は、本発明に係る液晶表示装置１の駆動タイミングを示すタイミングチャートである。また、図４は、図２（ｅ）の状態で駆動するためのタイミングを示す図である。ここでは、表示装置を、図２（ｅ）の状態とするためにラインごとに極性信号ＰＯＬとストローブ信号ＳＴＢに基づいて極性が決定されるとする。
ゲート・ドライバ１２に入力されたクロック信号ＧＣＬＫの立ち上がりに応じて、１行目のゲート・ラインＧ１に駆動電圧が印加される。これによって、ゲート・ラインＧ１に接続された１行目の画素１１０が選択される。１行目のゲート・ラインＧ１上の映像データに対応した書込み電圧が各ソース・ラインＳ１，Ｓ２，・・・に印加されている。これによって、１，２，・・・行目のゲート・ラインＧ１に接続された液晶セル容量１１２は、映像データが書込み可能な状態となる。
【００２７】
その後、極性信号ＰＯＬが立ち下がりライン１の極性を"Ｌ"と設定する。ストローブ信号ＳＴＢは、１行目のゲート・ラインＧ１が選択された状態で立ち上がる。このとき極性信号ＰＯＬが遷移した直後（"Ｈ"→"Ｌ"または"Ｌ"→"Ｈ"）であれば、ソース・ドライバ１３は出力を出力ショートにする。ここで、出力ショートとは、ソース・ドライバ１３の出力同士が内部スイッチによって、お互いに接続された状態をいう。出力ショートの状態では、ソース・ドライバ１３の正極性を出力しているソース・ライン数と、負極性を出力しているソース・ライン数は同じなので、お互いに中和し、液晶パネルのソース電極の電位は、コモンレベルに変化する。
【００２８】
１行目のライン１では、極性信号ＰＯＬが"Ｌ"に遷移した直後で、ストローブ信号が立ち上がった場合、ソース・ラインＳ１，Ｓ２，・・・には順に、正極性、負極性、負極性、正極性、・・・の書込み電圧が印加される。ソース・ラインに接続された各液晶セル容量１１２には正電荷、負電荷、負電荷、正電荷、・・・が充電される。これによって、１行目の各画素１１０はコラム方向に順に正極性、負極性、負極性、正極性、・・・で駆動される。すなわち、ライン１の各画素１１０の出力極性は、Ｓ１側からカラム方向に「＋」、「−」、「−」、「＋」、・・・となる。
【００２９】
ゲート・ドライバ１２に入力されたクロック信号ＧＣＬＫの立ち上がりに応じて、２行目のゲート・ラインＧ２に駆動電圧が印加される。これによって、ゲート・ラインＧ２に接続された２行目の画素１１０は、映像データが書込み可能な状態となる。この時、極性信号ＰＯＬは遷移せず、"Ｌ"の状態を継続する。極性信号の変化の無いままストローブ信号ＳＴＢが立ち上がると、ソース・ドライバ１３は出力をハイインピーダンスにする。この動作は、例えば、ソース・ドライバＳ１に接続された液晶セル容量１１２には、反転前に正電荷が充電されているので、この液晶セル容量１１２に負電荷を充電するために行われる。この動作により、１，３，・・・の奇数列のソース・ドライバＳ１，Ｓ３，・・・に印加される書込み電圧の極性が反転可能となる。
【００３０】
その後、ソース・ラインＳ１の印加電圧は、負極性の書込み電圧とされる。これによって、ソース・ラインＳ１に接続された液晶セル容量１１２に負電荷が充電され、画素１１０の極性が正極性から負極性に反転する。これと同様に、奇数列のソース・ドライバＳ１，Ｓ３，・・・に接続された各画素１１０の極性が反転され、ライン２の各画素１１０の出力極性は、Ｓ１側からカラム方向に「−」、「−」、「＋」、「＋」、・・・となる。
【００３１】
ライン３に対する書き込みに際しては極性信号ＰＯＬが"Ｌ"から"Ｈ"へと変化する。その後、ストローブ信号が、３行目のゲート・ラインＧ３が選択された状態で立ち上がる。これによって、２，４，・・・の偶数列のソース・ドライバＳ２，Ｓ４，・・・に印加される書込み電圧の極性が反転される。具体的には、ライン３の各画素１１０の出力極性は、Ｓ１側からカラム方向に「−」、「＋」、「＋」、「−」、・・・となる。ライン４についても、ライン２の場合と同様に極性が反転される。ライン５はライン１と同様の極性で駆動される。
【００３２】
図４のタイミングチャートには、書込み不足の場合におけるソース・ドライバ１３の出力が一点鎖線によって示されている。図４に示すように、液晶パネル１１の負荷（抵抗・容量成分）が重く、ソース・ドライバ１３の出力波形がなまった場合には、出力電圧が上がりきるのが遅くなり、極性反転の無いラインでの画素１１０へのチャージ量と差ができることがある。
図４に示すように、液晶パネル１１の負荷が大きい場合には、一般的に、ライン１，２，３，４，・・・にあたる１水平周期は十分に書込めないことがある。特に、解像度がＵＸＧＡのパネルで１０μｓ程度しかない場合には、十分に書込めないことがある。図４では、ライン１、ライン２，４のソース・ラインＳ１，Ｓ３、ライン３，５のソース・ラインＳ２，Ｓ４において、極性反転信号が切り替わったことによりソース電極のチャージ・ディスチャージが発生し、書込みが不足した状態で電位がホールドされる。しかしながらライン２のソース・ラインＳ２，Ｓ４ライン３のソース・ラインＳ１，Ｓ３ではこのような書き込み不足が発生しない。
【００３３】
以上のように、本発明に係る駆動方法では、書込みレベルが不足している画素１１０と、そうでない画素１１０が上下左右で隣り合わないように分散される。具体的には、図４においては、例えば、ライン２においては、１，３列目の画素１１０が書込み不足であったとしても、２，４列目の画素１１０が書込み不足となっていない。また例えば、ライン３においては、２，４列目の画素１１０が書込み不足であったとしても、１，３列目の画素１１０が書込み不足となっていない。従って、縞模様の輝度ムラが発生するのを防ぐことができ、表示ムラを防止することができる。
さらに、本発明に係る駆動方法では、ライン２について極性反転させるとき等のように、極性反転信号が変わらない場合には出力ショートの動作を行わない。これによって、消費電流を増やすことがなく、消費電力を低減することができる。従って、本発明によって、輝度ムラを抑制するとともに、消費電力を低減することができる。
【００３４】
さらにまた、本発明に係る液晶表示装置１では、全ての液晶セル容量１１２が書込み不足の状態でホールドされるのではなく、極性反転されなかった画素１１０の液晶セル容量１１２は十分に充電されている。従って、従来のスクエア・インバージョンの極性反転の駆動方法とは異なるが、従来のスクエア・インバージョンと同様に、チェック模様等の特定表示パタンにおけるフリッカを低減することができる。
【００３５】
発明の実施の形態２.
実施形態１においては、図４に示すように、ライン１については書込み不足になる場合がある。これによって、実施形態１においてはライン１が横縞となって視認されることがある。これに対して、本実施形態２においてはライン１の書込み不足を低減する。図５に、本実施形態におけるタイミングチャートが示されている。
【００３６】
図５に示すように、本実施形態における液晶表示装置１は、ダミーラインを備えている。ダミーラインは、上記の画素１１０とは異なり、表示には寄与しない。このダミーラインは、ライン１の書き込みに先立って、予めソース・ラインを正極性あるいは負極性に充電するために設けられた仮想的なラインである。つまり、ライン１の書き込みよりも１ライン分前の段階で極性信号ＰＯＬを変化させ、ストローブ信号ＳＴＢを立ち上げることで、各ソースラインは正極性あるいは負極性に充電される。その後、極性信号ＰＯＬを変化させず、ストローブ信号ＳＴＢの立ち上がりに応じてソース・ラインＳ２，Ｓ４の極性を反転させることでライン１に関しても書き込み不足な画素が隣り合うことが無い。図５に示すように、このダミーラインによって、これに接続された各液晶セル容量１１２には予め、正電荷、負電荷、負電荷、正電荷、・・・が充電される。
このように、各ラインを駆動して１つのフレームを得る。その後、この極性信号ＰＯＬの遷移とストローブ信号のタイミングから図１および図２に示したように反転駆動することによってフリッカや縞模様の発生を防いだ駆動とすることができる。
【図面の簡単な説明】
【００３７】
【図１】本発明に係る液晶表示装置の駆動状態の一例を示す模式図である。
【図２】本発明に係る液晶表示装置の駆動状態の一例を示す模式図である。
【図３】本発明に係る液晶表示装置の一構成例を示す模式図である。
【図４】本発明に係る液晶表示装置の駆動タイミングの一例を示すタイミングチャートである。
【図５】本発明に係る液晶表示装置の駆動タイミングの他の一例を示すタイミングチャートである。
【図６】従来の液晶表示装置の駆動状態の一例を示す模式図である。
【図７】従来の液晶表示装置の駆動タイミングの一例を示すタイミングチャートである。
【図８】従来の液晶表示装置の駆動タイミングの他の一例を示すタイミングチャートである。
【符号の説明】
【００３８】
１...液晶表示装置、１１...液晶パネル、１２...ゲート・ドライバ、
１３...ソース・ドライバ、１４...タイミングコントローラ
１１０...画素、１１１...ＴＦＴ、１１２...液晶セル容量、
１１３...コモン電極
【図１】
2007065454.tif 000003
【図２】
2007065454.tif 000004
【図３】
2007065454.tif 000005
【図４】
2007065454.tif 000006
【図５】
2007065454.tif 000007
【図６】
2007065454.tif 000008
【図７】
2007065454.tif 000009
【図８】
2007065454.tif 000010